(57)【要約】【課題】スリープ状態における携帯端末の動作時間を削減する。【解決手段】基地局送信機では、ＩＤＳＥＬブロック２１がＰＣＨＧＥＮブロック５に供給される上位レイヤからのページング情報を元にトレーニングシンボル系列番号を選択し、ＳＹＭＢＧＥＮブロック１がトレーニングシンボル系列番号に基づき全セル共通のトレーニングシンボルを生成することによって、基地局のカバーエリア内の携帯端末に該当する端末呼び出しがない場合、基地局は従来の例えば「０」なる全セル共通トレーニングシンボルを送信し、基地局のカバーエリア内の携帯端末に該当する端末呼び出しがある場合は、基地局は別の系列からなる例えば「１」なるトレーニングシンボルを送信する。携帯端末受信機では、従来の携帯端末受信機にＩＤＤＥＴブロック２２と判定ブロック２３とを追加してトレーニングシンボル系列番号を検出し、かつ、その結果にもとづいてページング情報を復調する。【選択図】図１
2010147958.tif 000002
【特許請求の範囲】
【請求項１】
基地局は報知情報を通知する機能を備えたトレーニングシンボルを送信することを特徴とする無線通信方法。
【請求項２】
基地局は報知情報としてページング情報を通知する機能を備えたトレーニングシンボルを送信することを特徴とする請求項1に記載の無線通信方法。
【請求項３】
基地局はページング情報を通知する機能を備えたトレーニングシンボルとしてカバーエリア内の携帯端末に該当する呼び出しがない場合は全セル共通トレーニングシンボルを送信し、該当する呼び出しがある場合は別の系列からなるトレーニングシンボルを送信することを特徴とする請求項２に記載の無線通信方法。
【請求項４】
基地局は報知情報として個別通信チャネルの割り当て可否情報を通知する機能を備えたトレーニングシンボルを送信することを特徴とする請求項1に記載の無線通信方法。
【請求項５】
基地局は個別通信チャネルの割り当て可否情報を通知する機能を備えたトレーニングシンボルとしてカバーエリア内の携帯端末に個別通信チャネルの割り当てが不可能な場合は全セル共通トレーニングシンボルを送信し、個別通信チャネルの割り当てが可能な場合は別の系列からなるトレーニングシンボルを送信することを特徴とする請求項４に記載の無線通信方法。
【請求項６】
トレーニングシンボルとして、フレーム先頭の複数ＯＦＤＭシンボルを使用することを特徴とする請求項1乃至請求項５の1つに記載の無線通信方法。
【請求項７】
上位レイヤからのページング情報を基にトレーニングシンボル系列番号を選択するとともにその選択したトレーニングシンボル系列番号を供給する機能部と、供給されたトレーニングシンボル系列番号に基づき全セル共通または別の系列のトレーニングシンボルを生成する機能部と、生成されたトレーニングシンボルを規定されたサブキャリアに配置する機能部と、サブキャリアに配置されたトレーニングシンボルをＯＦＤＭ変調する機能部と、ＯＦＤＭ変調されたトレーニングシンボルにガードインターバルを付加する機能部と、上記ガードインターバルの付加されたトレーニングシンボルと他のＯＦＤＭ変調された信号とを時間多重化して送信する機能部とを備えたことを特徴とする請求項３に使用される基地局送信機。
【請求項８】
個別通信チャネルの割り当て可否情報を基にトレーニングシンボル系列番号を選択するとともにその選択したトレーニングシンボル系列番号を供給する機能部と、供給されたトレーニングシンボル系列番号に基づき全セル共通または別の系列のトレーニングシンボルを生成する機能部と、生成されたトレーニングシンボルを規定されたサブキャリアに配置する機能部と、サブキャリアに配置されたトレーニングシンボルをＯＦＤＭ変調する機能部と、ＯＦＤＭ変調されたトレーニングシンボルにガードインターバルを付加する機能部と、上記ガードインターバルの付加されたトレーニングシンボルと他のＯＦＤＭ変調された信号とを時間多重化して送信する機能部とを備えたことを特徴とする請求項５に使用される基地局送信機。
【請求項９】
受信信号からトレーニングシンボル系列番号を検出する機能と、トレーニングシンボル系列番号から全セル共通または別の系列のトレーニングシンボルであるかを判定しかつ別の系列トレーニングシンボルである場合はページング情報の含まれる物理チャネルを取り出してページング情報を検出する機能部とを備えたことを特徴とする請求項３に使用される受信機。
【請求項１０】
受信信号からトレーニングシンボル系列番号を検出する機能部と、トレーニングシンボル系列番号から全セル共通または別の系列のトレーニングシンボルであるかを判定しかつ別の系列トレーニングシンボルである場合は割り当て可能な個別通信チャネル情報の含まれる物理チャネルを取り出して個別通信チャネル情報を検出する機能部とを備えたことを特徴とする請求項５に使用される受信機。
【発明の詳細な説明】
【技術分野】
【０００１】
本発明は、携帯端末の動作時間を削減できる無線通信方法とそれに使用する基地局送信機および受信機に関する。
【背景技術】
【０００２】
図３は、基地局と基地局のカバーエリア内でスリープ状態にある携帯端末との通信を示す。図３において、スリープしていた携帯端末が、ページング情報を受信するために、必要な回路の電源をオンにするウーエクアップ（Wake Up）状態になると、基地局から送信されているトレーニングシンボルを基に基地局と時間や周波数などの同期を確立する。その後、携帯端末は、基地局から送信されているページング情報を受信し、受信したページング情報が自分宛でない場合はスリープ状態に遷移し、受信したページング情報が自分宛である場合はアクティブ状態に遷移して基地局との通信を開始する。よって、携帯端末は、トレーニングシンボルとページング情報とを受信する期間、電力を消費する。
【０００３】
図４は、スリープ状態にある携帯端末からカバーエリア内の基地局に送信したい呼び出しが生じた場合の通信を示す。図４において、スリープしていた携帯端末が、個別通信チャネルの割り当て要求情報を送信するために、必要な回路の電源をオンにするウーエクアップ（Wake Up）状態になると、基地局から送信されているトレーニングシンボルを受信し、基地局と時間や周波数などの同期を確立する。その後、携帯端末は、基地局に対し、個別通信チャネルの割り当て要求情報を送信する。そして、基地局が、個別通信チャネル割り当て要求情報を受信すると、携帯端末に対し、個別通信チャネル割り当て可否情報を送信する。よって、携帯端末は、トレーニングシンボルと個別通信チャネルの割り当て要求情報を送信する期間と、個別通信チャネル割り当て可否情報を受信する期間とで、電力を消費する。
【０００４】
トレーニングシンボルは、携帯端末と基地局との時間や周波数などの同期を取るための信号である。トレーニングシンボルとしては、例えば、非特許文献１の３．４．２章に記載されているように、全てのセルに共通で時間領域で繰り返しとなる系列が用いられる。
【０００５】
図５は、非特許文献１の３．４．７章の図３．４から抜粋した下り回線共通制御チャネルのＯＤＦＭ信号のフレーム構成を時間軸と周波数軸との２次元表現で示す。図５において、横方向が時間を示し、縦方向が周波数を示し、下り回線共通制御チャネルのＯＤＦＭ信号は、無地で示された３２４個のデータシンボル、網がけされた５０個のパイロットシンボル、斜線を付した４４個のトレーニングシンボル、点を散りばめた３８個のヌルシンボルから構成される。具体的には、Ｓ１からＳ１９までの１９ＯＦＤＭシンボルから構成されるスロットの先頭における２ＯＦＤＭシンボルがトレーニングシンボルである。スロットの前後にはガードタイムが存在する。Ｆ１；Ｆ１３なるサブキャリアは、ガードキャリアもしくはＤＣキャリアである。
【０００６】
図６は、非特許文献１の３．２．１章の図３．１から抜粋したＯＦＤＭ伝送方式のフレーム構成を時間軸で示す。図６において、フレームは８スロットから構成され、上下回線に４スロットずつを割り当てるＴＤＤ（時分割複信方式）である。ＴＤＤは、上り下りで同じ周波数を時間的に交互に利用する方式である。１つのスロットは、前後のガードタイムとそれらに挟まれたＯＦＤＭバーストとから構成される。ＯＦＤＭバーストは、Ｓ１からＳ１９までの１９ＯＦＤＭシンボルから構成される。１つのＯＦＤＭシンボルは、一つのガードインターバルＧＩと１つのＯＦＤＭデータとから構成される。
【０００７】
図７は、非特許文献１の５．２．１章の図５．３から抜粋した論理共通チャネル（以下、ＬＣＣＨと称する）構造を示す。図７において、ＬＣＣＨは、スーパーフレーム構造を有する。ＬＣＣＨにおける間欠送信を制御するためのスロットの全送受信タイミングなどは、スーパーフレームに基づいて生成される。
【０００８】
非特許文献１の５．２．３に記載されているように、全てのＬＣＣＨ要素のスロット位置を規定する下り回線用論理共通チャネル（以下、ＤＬＬＣＣＨと称する）の最小周期は、ＬＣＣＨスーパーフレームとして定義される。ＤＬＬＣＣＨ要素としては、三つのタイプのＬＣＣＨ要素がある。つまり、三つのタイプのＬＣＣＨ要素としては、適切なシステムによって使用されるブロードキャスト制御チャネル（以下、ＢＣＣＨと称する）、着信群に対応する全てのページングチャネル（以下、ＰＣＨ（Ｐ１乃至Ｐｋ：ｋはグループ番号）と称する）、固定的に挿入されるシグナリング制御チャネル（以下、ＳＣＣＨと称する）である。
【０００９】
非特許文献１の５．２．３に記載されているように、ＤＬＬＣＣＨ用のスーパースーパーフレーム構造は、プロファイルデータにより定義され、ＢＣＣＨ上で各携帯端末に報知される。スーパーフレームの構造を定義するプロファイルデータの選択方法により、ＤＬＬＣＣＨ用のスーパーフレームは同一の着信群に複数回送信可能であるが、１回の着呼当たりの連続送信回数（ｎＳＧによって与えられる)とＬＣＣＨスーパーフレームに含まれる同一の着信群ｎＳＧとは独立である。１回の着呼に対応する連続送信はＬＣＣＨスーパーフレーム内で終端するか、または、数スーパーフレームに渡って延長可能である。ＬＣＣＨスーパーフレームは、フレーム基本ユニットと呼ばれる。
【００１０】
図８は、非特許文献１の５．２．３．７章の図５．４から抜粋したプロファイルデータ間の関係を示す。図８において、ｎＳＵＢ≧ｎＰＣＨ+１を式１と称し、Ｎ＝ｎＳＧ×ｎＧＲＯＵＰを式２と称する。式１は、ＢＣＣＨが常時割り当てられるため、フレーム基本ユニット内でｎＰＣＨ+１が最小のフレーム基本ユニット長であることを示す。式２は、１つのＬＣＣＨスーパーフレーム中のフレーム基本ユニット数Ｎが、同一着信群数ｎＳＧと着信群分け因数ｎＧＲＯＵＰとの積で与えられることを示す。
【００１１】
また、ＰＣＨはページング情報を含む要素で、その添え字は要素の番号である。携帯端末は、該当する要素番号のＰＣＨのタイミング及び周波数位置で、トレーニングシンボルにより基地局と同期確立（チャネル補正）後、ＰＣＨをデコードし、自分宛のページング情報があるかないかを確認する。ＳＣＣＨは、携帯端末からの個別通信チャネルの割り当て要求の可否情報を通知する要素である。
【００１２】
図９は、基地局送信機におけるトレーニングシンボルとページング情報との送信部分のブロック構造を示す。図９において、トレーニングシンボルの送信については、ＳＹＭＢＧＥＮブロック１がセル共通系列番号（cell common index）に基づき全セル共通のトレーニングシンボルを生成し、ＳＵＢＣＭＡＰブロック２がトレーニングシンボルを規定されたサブキャリアに配置した後、ＯＦＤＭＭＯＤブロック３がＯＦＤＭ変調し、ＧＩＡＤＤブロック４がガードインターバルを付加する。
【００１３】
また、ページング情報（paging info）の送信については、ＰＣＨＧＥＮブロック５が上位レイヤからのページング情報を物理チャンネルにマッピングし、ＳＵＢＣＭＡＰブロック６が上記ページングチャネル情報のマッピングされた物理チャネルを規定されたサブキャリアに配置した後、ＯＦＤＭＭＯＤブロック７がＯＦＤＭ変調し、ＧＩＡＤＤブロック８がガードインターバルを付加する。
【００１４】
そして、ＴＤＭＭＵＸブロック９がガードインターバルの付加されたトレーニングシンボルとガードインターバルの付加されたページング情報とを時間多重化したＴＸ信号（TX signal）として送信する。携帯端末からの個別通信チャネルの割り当て要求の可否情報を通知する場合は、ページング情報の代わりに、該当する可否情報を送信する。
【００１５】
図１０は、携帯端末受信機におけるトレーニングシンボルを用いた同期処理部とページング情報検出部とのブロック構造を示す。図１０において、同期処理部のＳＹＮＣＤＥＴブロック１１が、ＲＸ信号（RX signal；受信信号）のトレーニングシンボルを用い、周波数誤差、ＯＦＤＭ復調におけるＦＦＴウインドウ開始位置を検出する。ＲＸ信号は、図９のＴＸ信号が基地局送信機からの無線伝播路を通って受信された信号である。ページング情報検出部のＦＲＥＱＣＯＭＰブロック１２は検出した周波数誤差を基にＲＸ信号の位相を補正し、ＯＦＤＭＤＭＯＤブロック１３は検出したＦＦＴウインドウ開始位置からＲＸ信号をＦＦＴの長さ分を切り出してＯＦＤＭ復調し、ＴＤＭＤＭＵＸブロック１４はＯＦＤＭ復調された信号から時間多重されたページング情報の含まれる物理チャネルを取り出し、ＰＣＨＤＥＴブロック１５はページング情報を検出する。個別通信チャネルの割り当て要求の可否情報に本提案を適用する場合は、ページング情報の代わりに、個別通信チャネルの割り当て要求の可否情報を用いる。
【００１６】
一方、特許文献１に記載された無線通信方式では、携帯端末である移動機の受信回路が基地局から送信されたスーパーフレームの常時受信部を受信する期間でオン動作して着信表示領域の情報を受信し、次に、着信表示領域に「着信有り」の情報がある場合は移動機の受信回路が移動機呼出部を受信する期間でオン動作して基地局から送信されたスーパーフレームの移動機呼出部を受信し、上記着信表示領域に「着信有り」の情報がない場合は移動機の受信回路がオフ動作のままで基地局から送信されたスーパーフレームの移動機呼出部を受信しないようになっている。
【００１７】
つまり、携帯端末を群に分け、それぞれの群に対応したＰＣＨを階層化し、移動機が、基地局から上位階層のＰＣＨを用いて送信される着信表示領域の情報を受信し、その受信した着信表示領域の情報に自分を呼び出す情報がない場合、上位階層のＰＣＨを受信するのみで受信処理を終了するようになっている。しかしながら、携帯端末と基地局との間でＰＣＨによる通信を行う前に、携帯端末と基地局との同期を確立しておく必要がある。
【００１８】
よって、特許文献１に記載された無線通信方式における移動機の受信回路のオン・オフについて考察すると、受信回路は同期を取る期間と常時受信部を受信する期間とで少なくともオン動作する。この点ついて、図１１を用いて説明する。
【００１９】
図１１は、特許文献１における移動機の受信回路のオン・オフ動作を示す。図１１のａ図は、受信回路が同期を取る期間と常時受信部を受信する期間とでオン動作し、受信した常時受信部の着信表示領域に「着信有り」の情報がないことから、その後、受信回路がオフ動作したままである。図１１のｂ図は、受信回路が同期を取る期間と常時受信部を受信する期間とでオン動作し、受信した常時受信部の着信表示領域に「着信有り」の情報があることから、その後、受信回路が移動機呼出部を受信する期間でオン動作した場合である。このように、受信回路は、自分を呼び出すページング情報がない場合でも、同期を取る期間と常時受信部を受信する期間とで、電力を消費する。
【非特許文献１】ＡＲＩＢ  ＳＴＤ‐Ｔ９５  Ｖｅｒ．１．０「ＯＦＤＭＡ／ＴＤＭＡ  ＴＤＤ  Ｂｒｏａｄｂａｎｄ  Ｗｉｒｅｌｅｓｓ  Ａｃｃｅｓｓ  Ｓｙｓｔｅｍ  （Ｎｅｘｔ  Ｇｅｎｅｒａｔｉｏｎ  ＰＨＳ）」ＡＲＩＢ（電波産業会）発行２００７年１２月１２日
【特許文献１】特許第２９５７１４０号公報
【発明の開示】
【発明が解決しようとする課題】
【００２０】
発明が解決しようとする問題点は、携帯端末が基地局から送信される自分を呼び出すページング情報がない場合でも、同期を取る期間とページング情報または常時受信部とを受信する期間とで、電力を消費するという点である。
【課題を解決するための手段】
【００２１】
本発明に係る無線通信方法は、トレーニングシンボルに報知情報を通知する機能を備え、トレーニングシンボルに報知情報としてページング情報を通知する機能を備えるか、または、ページング情報を通知する機能を備えたトレーニングシンボルとしてカバーエリア内の携帯端末に該当する呼び出しがない場合は全セル共通トレーニングシンボルを送信し該当する呼び出しがある場合は別の系列からなるトレーニングシンボルを送信するか、または、報知情報として個別通信チャネルの割り当て可否情報を通知する機能を備えたトレーニングシンボルとしてカバーエリア内の携帯端末に個別通信チャネルの割り当てが不可能な場合は全セル共通トレーニングシンボルを送信し、個別通信チャネルの割り当てが可能な場合は別の系列からなるトレーニングシンボルを送信することを最も主要な特徴とする。本発明に係る無線通信方法は、トレーニングシンボルとして、フレーム先頭の複数ＯＦＤＭシンボルを使用してもよい。本発明に係る無線通信方法に使用する基地局送信機は、上位レイヤからのページング情報を基にトレーニングシンボル系列番号を選択するとともにその選択したトレーニングシンボル系列番号を供給する機能部と、供給されたトレーニングシンボル系列番号に基づき全セル共通または別の系列のトレーニングシンボルを生成する機能部と、生成されたトレーニングシンボルを規定されたサブキャリアに配置する機能部と、サブキャリアに配置されたトレーニングシンボルをＯＦＤＭ変調する機能部と、ＯＦＤＭ変調されたトレーニングシンボルにガードインターバルを付加する機能部と、上記ガードインターバルの付加されたトレーニングシンボルと他のＯＦＤＭ変調された信号とを時間多重化して送信する機能部とを備えるか、または、個別通信チャネルの割り当て可否情報を基にトレーニングシンボル系列番号を選択するとともにその選択したトレーニングシンボル系列番号を供給する機能部と、供給されたトレーニングシンボル系列番号に基づき全セル共通または別の系列のトレーニングシンボルを生成する機能部と、生成されたトレーニングシンボルを規定されたサブキャリアに配置する機能部と、サブキャリアに配置されたトレーニングシンボルをＯＦＤＭ変調する機能部と、ＯＦＤＭ変調されたトレーニングシンボルにガードインターバルを付加する機能部と、上記ガードインターバルの付加されたトレーニングシンボルと他のＯＦＤＭ変調された信号とを時間多重化して送信する機能部とを備えたことを最も主要な特徴とする。本発明に係る無線通信方法に使用する受信機は、受信信号からトレーニングシンボル系列番号を検出する機能と、トレーニングシンボル系列番号から全セル共通または別の系列のトレーニングシンボルであるかを判定しかつ別の系列トレーニングシンボルである場合はページング情報の含まれる物理チャネルを取り出してページング情報を検出する機能部とを備えるか、または、受信信号からトレーニングシンボル系列番号を検出する機能部と、トレーニングシンボル系列番号から全セル共通または別の系列のトレーニングシンボルであるかを判定しかつ別の系列トレーニングシンボルである場合は割り当て可能な個別通信チャネル情報の含まれる物理チャネルを取り出して個別通信チャネル情報を検出する機能部とを備えたことを最も主要な特徴とする。
【発明の効果】
【００２２】
本発明に係る無線通信方法、無線通信方法に使用する基地局送信機、無線通信方法に使用する受信機は、同期のためのトレーニングシンボルを受信することによって、報知情報を判別することができる。報知情報としてページング情報または個別通信チャネルの割り当て可否情報をトレーニングシンボルにより通知する場合、同期のためのトレーニングシンボルを受信することによって、ページング情報または個別通信チャネルの割り当て可否情報を判別することができるので、その分、携帯端末の消費電力を削減できるという利点がある。とりわけ、マイクロセル方式を採用するシステムでは、マクロセル方式のシステムに比べて、基地局のカバーエリア内の携帯端末数が少ないという点から特に有効である。
【発明を実施するための最良の形態】
【００２３】
図１のａ図は、基地局送信機におけるトレーニングシンボルとページング情報との送信部分のブロック構造を示す。図１のａ図は、図９の従来例に、セル共通系列番号に代わるページング情報を基にトレーニングシンボル系列番号を選択する機能を追加した構成である。ページング情報をページング情報以外の報知情報と読み替えることによって、ページング情報以外の報知情報を用いることも可能である。
【００２４】
具体的には、ＩＤＳＥＬブロック２１が新設される。ＩＤＳＥＬブロック２１は、上位レイヤからのページング情報を基にトレーニングシンボル系列番号（Training symbol index）を選択するとともにその選択したトレーニングシンボル系列番号を供給する機能部を構成する。また、ＳＹＭＢＧＥＮブロック１は、供給されたトレーニングシンボル系列番号に基づき全セル共通または別の系列のトレーニングシンボルを生成する機能部を構成する。ＳＵＢＣＭＡＰブロックは、生成されたトレーニングシンボルを規定されたサブキャリアに配置する機能部を構成する。ＯＦＤＭＭＯＤブロックは、サブキャリアに配置されたトレーニングシンボルをＯＦＤＭ変調する機能部を構成する。ＧＩＡＤＤブロックは、ＯＦＤＭ変調されたトレーニングシンボルにガードインターバルを付加する機能部を構成する。ＴＤＭＭＵＸブロックは、ガードインターバルの付加されたトレーニングシンボルと他のＯＦＤＭ変調された信号とを時間多重化して送信する機能部を構成する。ＴＤＭＭＵＸブロック９は、ガードインターバルの付加されたトレーニングシンボルとガードインターバルの付加されたページング情報とを時間多重化したＴＸ信号（TX signal）として送信する。上記ガードインターバルの付加されたページング情報は、他のＯＦＤＭ変調された信号である。つまり、ＴＤＭＭＵＸブロック９は、ガードインターバルの付加されたトレーニングシンボルと他のＯＦＤＭ変調された信号とを時間多重化して送信する機能部を構成する。つまり、ＩＤＳＥＬブロック２１がＰＣＨＧＥＮブロック５に供給される上位レイヤからのページング情報を基にトレーニングシンボル系列番号を選択し、その選択したトレーニングシンボル系列番号をＳＹＭＢＧＥＮブロック１に供給し、ＳＹＭＢＧＥＮブロック１がトレーニングシンボル系列番号に基づき全セル共通のトレーニングシンボルを生成する。
【００２５】
これによって、基地局のカバーエリア内の携帯端末に該当する端末呼び出しがない場合、基地局は従来の例えば「０」なる全セル共通トレーニングシンボルを送信し、基地局のカバーエリア内の携帯端末に該当する端末呼び出しがある場合は、基地局は別の系列からなる例えば「１」なるトレーニングシンボルを送信する。
【００２６】
図１のｂ図は、携帯端末受信機におけるトレーニングシンボルを用いた同期処理部とページング情報検出部とのブロック構造を示す。図１のｂ図は、図１０の従来例に、トレーニングシンボル系列番号を検出する機能と、その結果にもとづいてページング情報を復調する機能を追加した構成である。
【００２７】
具体的には、ＩＤＤＥＴブロック２２と判定ブロック２３とを新設する。ＩＤＤＥＴブロック２２が、上位レイヤからのページング情報を基にトレーニングシンボル系列番号を選択するとともにその選択したトレーニングシンボル系列番号を供給する機能部を構成する。判定ブロック２３およびＰＣＨＤＥＴブロック１５が、トレーニングシンボル系列番号から全セル共通または別の系列のトレーニングシンボルであるかを判定しかつ別の系列トレーニングシンボルである場合はページング情報の含まれる物理チャネルを取り出してページング情報を検出する機能部を構成する。つまり、ＩＤＤＥＴブロック２２がＯＦＤＭ変調された信号のうち時間多重されているトレーニングシンボルの部分を用いてトレーニングシンボル系列番号を検出し、判定ブロック２３がトレーニングシンボル系列番号から全セル共通トレーニングシンボルを例えば「０」であるか「１」であるかを判定し、全セル共通トレーニングシンボルが例えば「０」である場合は判定ブロック２３がスリープモード（Sleep mode）を出力し、全セル共通トレーニングシンボルが例えば「１」である場合は判定ブロック２３がＯＦＤＭ復調された信号をＰＣＨＤＥＴブロック１５に出力し、ＰＣＨＤＥＴブロック１５がページング情報の含まれる物理チャネルを取り出してページング情報を検出する。
【００２８】
図２のａ図は、図５に相当する下り回線共通制御チャネルのＯＤＦＭ信号のフレーム構成を時間軸と周波数軸との２次元表現で示す。図２のａ図において、基地局のカバーエリア内の携帯端末に該当する呼がない場合は、Ｓ１およびＳ２なる２スロットのトレーニングシンボルが従来の全セル共通トレーニングシンボルとして送信され、呼がある場合は１およびＳ２なる２シンボル分のトレーニングシンボルが別の系列からなるトレーニングシンボルとして送信される。
【００２９】
図２のｂ図およびｃ図は、図１のａ図における携帯端末の電源のオン・オフ動作を示す。図２のａ図は、携帯端末が同期を取る期間でオン動作し、その期間に受信したトレーニングシンボルの系列番号を検出して、時分割多重されるページング情報を復調すべきか否かを判定し、ページング情報を復調すべきでないことから、その後、携帯端末がオフ動作したままである。図２のｃ図は、携帯端末が同期を取る期間でオン動作し、その期間に受信したトレーニングシンボルの系列番号を検出して、時分割多重されるページング情報を復調すべきか否かを判定し、ページング情報を復調すべきであることから、その後、携帯端末がページング情報を受信する期間でオン動作した場合である。
【００３０】
以上のように、携帯端末は、同期のために受信したトレーニングシンボルの系列番号を検出することによって、時分割多重されるページング情報を復調すべきか否かを判定することが可能になり、自分を呼び出すページング情報がない場合の無用な受信処理を削減し、電力消費を低減することができる。
【００３１】
つまり、図１のｂ図およびｃ図と図１１のａ図およびｂ図とについて考察すると、図１１のａ図およびｂ図とでは自分を呼び出すページング情報がない場合でも移動機が同期を取る期間と通常受信部受信期間とでオン動作するに対し、図１のｂ図およびｃ図では自分を呼び出すページング情報がない場合に携帯端末が同期を取るためのトレーニングシンボルを受信する期間だけオン動作すればよいので、図１１のａ図およびｂ図に比べ、図１のｂ図およびｃ図の方が電力消費を低減することができる。
【００３２】
要するに、自分を呼び出すページング情報がない場合、携帯端末は、トレーニングシンボルのみの受信で、スリープ状態における受信処理が完了し、トレーニングシンボルと時間多重されるページング情報を復調する必要がないので、その分の消費電力が削減可能になる。また、マイクロセル方式を採用するシステムでは、基地局のカバーエリア内の携帯端末数がマクロセルシステムに比べ少ないので、特に有効である。また、同様に、カバーエリアが限定される、例えば、フェムトセルにおいても、カバーエリア内の携帯端末数が限定されるので、有効である。
【００３３】
図１において、ページング情報の代わりに、携帯端末からの個別通信チャネルの割り当て要求の可否情報を通知する場合は、ページング情報の代わりに、個別通信チャネルの割り当て要求の可否情報を用いればよく、トレーニングシンボルのみで個別通信チャネルの割り当て要求の可否情報受信処理が完了する。この場合、図１のａ図におけるＩＤＳＥＬブロック２１が個別通信チャネルの割り当て可否情報を基にトレーニングシンボル系列番号を選択するとともにその選択したトレーニングシンボル系列番号を供給する機能部を構成する。また、ガードインターバルの付加された個別通信チャネルの割り当て要求の可否情報は、他のＯＦＤＭ変調された信号である。また、図１のｂ図におけるＩＤＤＥＴブロック２２が受信信号からトレーニングシンボル系列番号を検出する機能部を構成し、判定ブロック２３およびＰＣＨＤＥＴブロック１５がトレーニングシンボル系列番号から全セル共通または別の系列のトレーニングシンボルであるかを判定しかつ別の系列トレーニングシンボルである場合は割り当て可能な個別通信チャネル情報の含まれる物理チャネルを取り出して個別通信チャネル情報を検出する機能部を構成する。
【図面の簡単な説明】
【００３４】
【図１】ａ図は基地局送信機におけるトレーニングシンボルとページング情報との送信部分のブロック図、ｂ図は携帯端末受信機におけるトレーニングシンボルを用いた同期処理部とページング情報検出部とのブロック図（最良の形態）。
【図２】ａ図は下り回線共通制御チャネル用のＯＤＦＭ物理リソースユニットの構造図、ｂ図およびｃ図は携帯端末の受信回路のオン・オフ動作を示す図（最良の形態）。
【図３】基地局と携帯端末との通信を示すシーケンス図（従来例）。
【図４】基地局と携帯端末との通信を示すシーケンス図（従来例）。
【図５】下り回線共通制御チャネル用のＯＤＦＭ物理リソースユニットの構造図（従来例）。
【図６】ＯＦＤＭ伝送方式用のフレームの構成図（従来例）。
【図７】論理共通チャネルの構造図（従来例）。
【図８】プロファイルデータ間の関係を示す図。（従来例）。
【図９】基地局送信機におけるトレーニングシンボルとページング情報との送信部分のブロック図（従来例）。
【図１０】携帯端末受信機におけるトレーニングシンボルを用いた同期処理部とページング情報検出部とのブロック図（従来例）。
【図１１】ａ図およびｂ図は移動機の受信回路のオン・オフ動作を示す図（従来例）。
【符号の説明】
【００３５】
１はＳＹＭＢＧＥＮブロック、２はＳＵＢＣＭＡＰブロック、３はＯＦＤＭＭＯＤブロック、４はＧＩＡＤＤブロック、５はＰＣＨＧＥＮブロック、６はＳＵＢＣＭＡＰブロック、７はＯＦＤＭＭＯＤブロック、８はＧＩＡＤＤブロック、９はＴＤＭＭＵＸブロック、１０は欠番、１１はＳＹＮＣＤＥＴブロック、１２はＦＲＥＱＣＯＭＰブロック、１３はＯＦＤＭＤＭＯＤブロック、１４はＴＤＭＤＭＵＸブロック、１５はＰＣＨＤＥＴブロック、１６乃至２０は欠番、２１はＩＤＳＥＬブロック、２２はＩＤＤＥＴブロック、２３は判定ブロック。
【図１】
2010147958.tif 000003
【図２】
2010147958.tif 000004
【図３】
2010147958.tif 000005
【図４】
2010147958.tif 000006
【図５】
2010147958.tif 000007
【図６】
2010147958.tif 000008
【図７】
2010147958.tif 000009
【図８】
2010147958.tif 000010
【図９】
2010147958.tif 000011
【図１０】
2010147958.tif 000012
【図１１】
2010147958.tif 000013